(57)【要約】      （修正有）【課題】キャンドルの胴体の形状、色に似せたキャンドル本体の頂点に燃える炎に似せた電気的に点灯する灯りを備えた疑似キャンドルを提供する。【解決手段】天板部に開口穴１ａを穿設したキャンドル本体１と、底蓋２と、電池収納部３と、電池収納部３に陽極端子４を介装して収納したボタン型電池５と、陰極端子６に取着すると共に基板端子７ｂを突出しスイッチング機構を配設したスイッチング基板７と、ＬＥＤ８と、ＬＥＤ８を覆う共に開口穴１ａに突出させた灯明カバー９と、灯明カバー９に突設した操作杆９ａと、操作杆９ａにより押圧される操作ボタン７ａとを備え、灯明カバー９を押圧することにより操作杆９ａが操作ボタン７ａを操作してスイッチング機構をオンオフさせると共に、スイッチング機構によりＬＥＤ８の輝度に強弱をつけ、更に、ボタン電池に代えて一対の乾電池にした。【選択図】図１
0003126714.tif 000002
【実用新案登録請求の範囲】
【請求項１】
底部を開口させ天板部に開口穴を穿設したカップ状のキャンドル本体と、該キャンドル本体の前記底部を閉蓋する底蓋と、該底蓋の上面に形成した電池収納部と、該電池収納部に陽極端子を介装して収納したボタン型電池と、該ボタン型電池に当接させるコイルスプリング状の陰極端子と、該陰極端子を下面に取着すると共に前記陽極端子に接続する基板端子を突出し上面にスイッチング機構を配設したスイッチング基板と、該スイッチング基板の上面に立設したＬＥＤと、該ＬＥＤを覆う共に前記キャンドル本体の開口穴に下方から摺動可能に突出させた灯明カバーと、前記灯明カバーの下方に突設した操作杆と、該操作杆により押圧される前記スイッチング機構に配設されたドーム状バネ体による操作ボタンとを備え、前記灯明カバーを押圧することにより前記操作杆が前記操作ボタンを操作して前記スイッチング機構をオンオフさせると共に、前記スイッチング機構により前記ＬＥＤの輝度に強弱をつけることを特徴とする疑似キャンドル。
【請求項２】
底部を開口させ天板部に開口穴を穿設したカップ状のキャンドル本体と、該キャンドル本体の前記底部を閉蓋する底蓋と、該底蓋に電池交換用開口部を開口させて上面に形成した電池収納部と、該電池収納部収納した一対の乾電池と、該一対の乾電池を電気的に接続する電池接続端子を設けると共に前記電池交換用開口部に閉蓋する電池交換用蓋体と、前記一対の乾電池に夫々当接させるコイルスプリング状の基板端子と、該基板端子を下面に取着すると共に上面にスイッチング機構を配設したスイッチング基板と、該スイッチング基板の上面に立設した一対のＬＥＤと、該一対のＬＥＤを覆う共に前記キャンドル本体の開口穴に下方から摺動可能に突出させた灯明カバーと、前記灯明カバーの下方に突設した操作杆と、該操作杆により押圧される前記スイッチング機構に配設されたドーム状バネ体による操作ボタンとを備え、前記灯明カバーを押圧することにより前記操作杆が前記操作ボタンを操作して前記スイッチング機構をオンオフさせると共に、前記スイッチング機構により前記ＬＥＤの輝度に強弱をつけることを特徴とする疑似キャンドル。
【考案の詳細な説明】
【技術分野】
【０００１】  本考案は疑似キャンドルに関するものであり、更に詳細には、キャンドルの胴体の形状、色に似せたキャンドル本体の頂部に燃える炎に似せた電気的に点灯する灯りを備えた疑似キャンドルに関するものである。
【背景技術】
【０００２】  従来、この種のキャンドルは冠婚葬祭の時に宗教的行事に使用されることが多く、火を点火すると点灯等により火事の要因と成り危険なことから、近年では、疑似キャンドルが開発されて使用されているが、大型のキャンドルは商業電源に接続したコードを用いても安定しているが、仏壇やお墓で汎用されるキャンドルは小型で軽量のもので、コードを挿通させると安定しないことら電池を内蔵したものが開発されており、従来の懐中電灯のように胴体の側面や底部にスイッチを備えたものであった。【０００３】  例えば、商業電源に接続したコードを用いたものとして、上端に電球を装着した灯明本体内にタッチセンサースイッチ基板を収納し、灯明本体表面にタッチセンサースイッチを配置し、タッチセンサースイッチへの接触により電球への通電制御を行うようにしたもの（特許文献１参照）や、電池を内蔵したものとして、ローソクの形に似せた外形を有する擬似ローソク体２と、ローソクの炎に似せた外形を有して擬似ローソク体２の上端に配置される透光性の擬似炎体３と、この擬似炎体３を内側から光らせるＬＥＤ４とを備える。ＬＥＤ４が１周期の間に少なくとも３回は他とは異なる強度で発光するようにして、ＬＥＤ４の発光強度を周期的に変化させる発光体点灯回路５を備えたもの（特許文献２参照）や、揺れる炎を演出するものとして、陰極フレーム１と、陽極フレーム２と、第一チップ３および第二チップ４と、燦爛ＩＣチップ５と樹脂６とによって構成され、前記陰極フレーム１は、陰極リード１０を具有し、前記陰極リード１０はマイナス極の電源と接続されており、前記陽極フレーム２は、陽極リード２０を具有し、前記陽極リード２０はプラス極の電源と接続されており、前記第一チップ３および第二チップ４は、前記陰極フレーム１上に設置されており、且つ前記第一チップ３は第一ワイヤ３０によって陽極フレーム２と繋がっており、前記燦爛ＩＣチップ５は、前記陽極フレーム２上に設置されており、且つ前記燦爛ＩＣチップ５はまた第二ワイヤ５０および第三ワイヤ５１によってそれぞれ別々に陰極フレーム１および第二チップ４と繋がっている。通電時、前記第一チップ３は恒常的に光る光を生成し、前記第二チップ４は燦爛ＩＣチップ５の作用によりきらきらと光る光を生成するので、全体から光が炎のように揺れ動く視覚効果が発せられるもの（特許文献３参照）が開示されている。
【特許文献１】特開平１１−９４３０号公報
【特許文献２】特開２００１−２９１５９８号公報
【特許文献３】特開２００５−２８５９５３号公報
【考案の開示】
【考案が解決しようとする課題】
【０００４】  然し乍ら、特許文献１に記載のものは、灯明本体表面にタッチスイッチを設けたものであり、電源を商業電源からコードを配線して得るもので、大型のキャンドルには適応できるものの、小型のキャンドルには適応できないものであり、更に、特許文献２に記載のものは、小型のキャンドルであるが、タッチスイッチでオンオフを行うもので、不用意に接触してもオンオフが行われるものであり、保管している内に放電してしまう可能性を有しているもので、更には、特許文献３に記載のものは、揺らめく視覚効果を発するランプであるが、疑似キャンドルとしての開示はされていないものである。
【課題を解決するための手段】
【０００５】  本考案は前記課題に鑑み、鋭意研鑚の結果、底部を開口させ天板部に開口穴を穿設したキャンドル本体と、キャンドル本体の底部を閉蓋する底蓋と、底蓋に形成した電池収納部と、電池収納部に陽極端子を介装して収納したボタン型電池と、ボタン型電池に当接させる陰極端子と、陰極端子を取着すると共に陽極端子に接続する基板端子を突出しスイッチング機構を配設したスイッチング基板と、スイッチング基板に立設したＬＥＤと、ＬＥＤを覆う共にキャンドル本体の開口穴に摺動可能に突出させた灯明カバーと、灯明カバーに突設した操作杆と、操作杆により押圧されるスイッチング機構に配設されたドーム状バネ体による操作ボタンとを備え、灯明カバーを押圧することにより操作杆が操作ボタンを操作してスイッチング機構をオンオフさせると共に、スイッチング機構によりＬＥＤの輝度に強弱をつけるものである。【０００６】  更に、底部を開口させ天板部に開口穴を穿設したキャンドル本体と、キャンドル本体の底部を閉蓋する底蓋と、底蓋に電池交換用開口部を開口させて上面に形成した電池収納部と、電池収納部収納した一対の乾電池と、一対の乾電池を接続する電池接続端子を設けると共に電池交換用開口部に閉蓋する電池交換用蓋体と、一対の乾電池に当接させるコイルスプリング状の基板端子と、基板端子を取着すると共にスイッチング機構を配設したスイッチング基板と、スイッチング基板に立設したＬＥＤと、ＬＥＤを覆う共にキャンドル本体の開口穴に摺動可能に突出させた灯明カバーと、灯明カバーに突設した操作杆と、操作杆により押圧されるスイッチング機構に配設されたドーム状バネ体による操作ボタンとを備え、灯明カバーを押圧することにより操作杆が操作ボタンを操作してスイッチング機構をオンオフさせると共に、スイッチング機構によりＬＥＤの輝度に強弱をつけるものである。
【考案の効果】
【０００７】  本考案の疑似キャンドルは、キャンドル本体にボタン型電池又は乾電池を内蔵して、頂部に摺動可能に灯明カバーに突設し、該灯明カバーを押圧することによりスイッチング機構のオンオフを行って、灯明カバーの内部に位置するＬＥＤを点灯させることから操作が容易であると共にはっきり操作状態が認識でき、更に、ボタン型電池又は乾電池は交換可能であるので長期にわたり使用できると共に、ＬＥＤの輝度に強弱をつけるもので恰も炎のような雰囲気を醸し出すものであり、画期的で実用性の高い考案である。
【考案を実施するための最良の形態】
【０００８】  以下、本考案の疑似キャンドルの実施例の図面を用いて詳細に説明すと、図１は本考案の疑似キャンドルの実施例の分解斜視図であり、図２は本考案の疑似キャンドルの次実施例の分解斜視図である。【０００９】  本考案は疑似キャンドルに関するものであり、更に詳細には、キャンドルの胴体の形状、色に似せたキャンドル本体の頂部に燃える炎に似せた電気的に点灯する灯りを備えた疑似キャンドルに関するものであり、請求項１に記載の疑似キャンドルは、底部を開口させ天板部に開口穴１ａを穿設したカップ状のキャンドル本体１と、該キャンドル本体１の前記底部を閉蓋する底蓋２と、該底蓋２の上面に形成した電池収納部３と、該電池収納部３に陽極端子４を介装して収納したボタン型電池５と、該ボタン型電池５に当接させるコイルスプリング状の陰極端子６と、該陰極端子６を下面に取着すると共に前記陽極端子４に接続する基板端子７ｂを突出し上面にスイッチング機構を配設したスイッチング基板７と、該スイッチング基板７の上面に立設したＬＥＤ８と、該ＬＥＤ８を覆う共に前記キャンドル本体１の開口穴１ａに下方から摺動可能に突出させた灯明カバー９と、前記灯明カバー９の下方に突設した操作杆９ａと、該操作杆９ａにより押圧される前記スイッチング機構に配設されたドーム状バネ体による操作ボタン７ａとを備え、前記灯明カバー９を押圧することにより前記操作杆９ａが前記操作ボタン７ａを操作して前記スイッチング機構をオンオフさせると共に、前記スイッチング機構により前記ＬＥＤ８の輝度に強弱をつけることを特徴とするものである。【００１０】  更に、請求項２に記載の疑似キャンドルは、底部を開口させ天板部に開口穴１１ａを穿設したカップ状のキャンドル本体１１と、該キャンドル本体１１の前記底部を閉蓋する底蓋１２と、該底蓋１２に電池交換用開口部を開口させて上面に形成した電池収納部１３と、該電池収納部１３に収納した一対の乾電池１５．１５と、該一対の乾電池１５．１５を電気的に接続する電池接続端子１４を設けると共に前記電池交換用開口部に閉蓋する電池交換用蓋体１２ａと、前記一対の乾電池１５．１５に夫々当接させるコイルスプリング状の基板端子１６．１６と、該基板端子１６．１６を下面に取着すると共に上面にスイッチング機構を配設したスイッチング基板１７と、該スイッチング基板１７の上面に立設したＬＥＤ１８と、該ＬＥＤ１８を覆う共に前記キャンドル本体１１の開口穴１１ａに下方から摺動可能に突出させた灯明カバー１９と、前記灯明カバー１９の下方に突設した操作杆１９ａと、該操作杆１９ａにより押圧される前記スイッチング機構に配設されたドーム状バネ体による操作ボタン１７ａとを備え、前記灯明カバー１９を押圧することにより前記操作杆１９ａが前記操作ボタン１７ａを操作して前記スイッチング機構をオンオフさせると共に、前記スイッチング機構により前記ＬＥＤ１８の輝度に強弱をつけることを特徴とするものである。
【実施例】
【００１１】  即ち、本考案の疑似キャンドルは、主として、冠婚葬祭等の宗教的行事の時に台等の上に載置して使用する比較的小型のもので、キャンドル本体１は、キャンドルの形状と色に似せた円柱状の乳白色の合成樹脂で形成したもので、底部を開口させ天板部に後述する灯明カバー９を摺動可能に挿通させる開口穴１ａを穿設したカップ状ものである。【００１２】  そして、底蓋２は、キャンドル本体１の底部を閉蓋する略円板状のものであり、キャンドル本体１の底部とは立設リブ等によって着脱自在にしており、上面には後述する電池収納部３を形成しているものである。【００１３】  次に、電池収納部３は、後述するボタン型電池５を収納するもので、円板状のボタン型電池５の外形に合わせて複数の円弧状リブを底蓋２の上面に立設しているものである。【００１４】  次いで、ボタン型電池５は、汎用されているボタン型リチウム電池（３Ｖ）ＣＲ２０３２であり、陽極を下方にして前記電池収納部３に略コ字状に形成した陽極端子４を介装して収納するもである。【００１５】  更に、陰極端子６はコイルスプリング状の金属弾性体で形成されており、下端をボタン型電池５の陰極に弾性を付与して当接させており、上端は後述するスイッチング基板７の下面の略中央に固着しているものである。【００１６】  更には、スイッチング基板７は、円板状のプリント基板の上面に抵抗素子やＩＣ回路、後述する操作ボタン７ａやＬＥＤ８を固着してプリント回路により電気的に接続しているもので、下面には前記陰極端子６を中央辺に固着すると共に、前記陽極端子４に接続する基板端子７ｂを突出させて、夫々上面のスイッチング機構と電気的に接続させているものである。【００１７】  そして、ＬＥＤ８は、キャンドルの疑似灯明と成るもので、スイッチング機構により輝度に強弱をつけたことにより、瞬き感を与えるもので、スイッチング基板７の上面にリード線を介して立設させているものであり、１灯でも２灯でも構わないものである。【００１８】  次いで、灯明カバー９は、ＬＥＤ８を覆い灯りを透光させるもので、半透明の合成樹脂で略円錐状の形成したものや、炎形状に似せた略円錐状に形成したもので、下端外周にフランジ状に鍔部を膨出させて、前記キャンドル本体１の開口穴１ａに下方から挿通させ抜け落ちないように且つ上下方向に摺動可能に突出させているものである。【００１９】  次に、操作杆９ａは、灯明カバー９のフランジ状の鍔部の下方に突設しているもので、実施例では、３ヵ所に突設したもので、後述するスイッチング機構の操作ボタン７ａを灯明カバー９の頂部を押圧することにより操作するものである。【００２０】  更に、操作ボタン７ａは、スイッチング基板７のスイッチング機構に配設されているドーム状バネ体であり、灯明カバー９の頂部を押圧することにより操作杆９ａで弾性に抗して押圧して、操作ボタン７ａが変形することにより下方に配設した接点部材を接続、又は、切断するものである。【００２１】  そして、本考案の疑似キャンドルは、灯明カバー９の頂部を指で押圧することにより操作杆９ａが操作ボタン７ａを操作してスイッチング機構をオンオフさせるものである。【００２２】  更には、スイッチング機構に配設されているＩＣ回路、抵抗素子等によりＬＥＤ８の輝度に強弱をつけるものである。【００２３】  更に、本考案の次実施例の疑似キャンドルは、前述の実施例の疑似キャンドルより若干大型としたもので、前述のボタン型電池５に代えて単３の乾電池１５．１５を２本直列に電気的に接続したもので、キャンドル本体１１と、スイッチング基板１７、ＬＥＤ１８、灯明カバー１９、操作杆１９ａ、スイッチング機構、操作ボタン１７ａは前述の実施例と同じなので、重複する部分の詳述は省略するものである。【００２４】  つまり、底蓋１２は、キャンドル本体１１の底部を閉蓋する略円板状のものであり、上面には単３の一対の乾電池１５．１５を縦方向に並べて収納する円筒状の２本の電池収納部１３を立設しており、キャンドル本体１１とは夫々管状の立設リブ等を立設してビス止めによって固定しているものである。【００２５】  更に、底蓋１２には、電池収納部１３の一端を開口するように一対の乾電池１５．１５を交換するための電池交換用開口部（図示しない）を形成して、電池交換用開口に係着して閉蓋する電池交換用蓋体１２ａを着脱可能に設け、該電池交換用蓋体１２ａの上面には一対の乾電池１５１５を電気的に接続する通電性部材の金属で形成した電池接続端子１４を設けているものである。【００２６】  更には、基板端子１６．１６はコイルスプリング状のもので、スイッチング基板１７の下面に固定しており、一対の乾電池１５．１５の上端に夫々当接させるものである。
【産業上の利用可能性】
【００２７】  従って、キャンドル本体にボタン型電池又は乾電池を内蔵して、頂部に摺動可能に灯明カバーに突設し、該灯明カバーを押圧することによりスイッチング機構のオンオフを行って、灯明カバーの内部に位置するＬＥＤ８を点灯させることから操作が容易であると共にはっきりスイッチング動作が認識でき、更に、ボタン型電池又は乾電池は交換可能であるので長期にわたり使用できると共に、ＬＥＤ８の輝度に強弱をつけるもので恰も炎のような雰囲気を醸し出す疑似キャンドルを提供するものである。
【図面の簡単な説明】
【００２８】
【図１】  図１は本考案の疑似キャンドルの実施例の分解斜視図である。
【図２】  図２は本考案の疑似キャンドルの次実施例の分解斜視図である。
【符号の説明】
【００２９】１      キャンドル本体
１ａ    開口穴
２      底蓋
３      電池収納部
４      陽極端子
５      ボタン型電池
６      陰極端子
７      スイッチング基板
７ａ    操作ボタン
７ｂ    基板端子
８      ＬＥＤ
９      灯明カバー
９ａ    操作杆
１１    キャンドル本体
１１ａ  開口穴
１２    底蓋
１２ａ  電池交換用蓋体
１３    電池収納部
１４    電池接続端子
１５    乾電池
１６    基板端子
１７    スイッチング基板
１８    ＬＥＤ
１９    灯明カバー
１９ａ  操作杆
【図１】
0003126714.tif 000003
【図２】
0003126714.tif 000004